(57)【要約】【課題】アクセス面が限られている場合でも筐体を容易に取り付け可能にすること。【解決手段】本発明に係る筐体固定構造は、筐体１３の底面に接する側面に取り付けられ、筐体の後方に傾斜する斜面１１と、筐体１３の底面と平行に前方から斜面を貫通する貫通穴と、フローティング機構とを有する三角ブロック２と、三角ブロック２の斜面１１と相対する斜面１２と、貫通穴に対応する挿入穴とを有し、取り付け棚９の被取付面に固定される固定ブロック８と、貫通穴を介して挿入穴に固定ボルト４を挿入することにより三角ブロック２を固定ブロック８の斜面に沿って移動させ、筐体１３を取り付け棚９に固定する締結手段とを具備する。【選択図】図１
2014082375.tif 000002
【特許請求の範囲】
【請求項１】
筐体を被取付面に固定する構造であって、
前記筐体の底面に接する側面に取り付けられ、前記筐体の後方に傾斜する斜面と、前記筐体の底面と平行に前方から斜面を貫通する貫通穴と、フローティング機構とを有する三角ブロックと、
前記三角ブロックの斜面と相対する斜面と、前記貫通穴に対応する挿入穴とを有し、前記被取付面に固定される固定ブロックと、
前記貫通穴を介して前記挿入穴にボルトを挿入することにより前記三角ブロックを前記固定ブロックの斜面に沿って移動させ、前記筐体を前記被取付面に固定する締結手段と
を具備することを特徴とする筐体固定構造。
【発明の詳細な説明】
【技術分野】
【０００１】
この発明は、電子機器等の筐体を棚等に固定するための筐体固定構造に関する。
【背景技術】
【０００２】
従来の筐体固定方法の一例として、図２のような筐体固定構造がある。図２（ａ）は筐体を前面から見た図、図２（ｂ）は筐体を側面から見た図、図２（ｃ）はＢ−Ｂ断面図、図２（ｄ）はＣ矢視図を示す。筐体前面の下部には取手が設けられ、筐体上部１５は上面板の前端が上方に折り曲げられ、ネジ１６を挿入するネジ穴が設けられている。筐体下部の取り付け部は左右に突出する板状部を有し、この板状部の前方に前面上方からネジ１６を挿入するネジ穴が設けられている。この筐体固定構造では、取り付け機構１４に筐体上部１５を当てて前後方向の位置決めを行い、取り付け機構１４及び取り付け棚９にそれぞれタップ穴を設け、ネジ１６をそれぞれ挿入し固定するようになっている。
【０００３】
なお、電子部品をベースに固定する構造は、例えば特許文献１又は特許文献２に開示されている。
【先行技術文献】
【特許文献】
【０００４】
【特許文献１】特開２０００−２２８４９０号公報
【特許文献２】特開２００６−２７８８７４号公報
【発明の概要】
【発明が解決しようとする課題】
【０００５】
ところが、装置には前面からのアクセスしか出来ない構造が多い。また、例えば図２において、電源ユニットの構造上、取り付け機構１４もしくは筐体上部１５が設けられない場合は、取り付け棚９のタップ穴による固定しか出来なくなり、地震や輸送などの際に外れる可能性がある。また、取り付け機構１４が無いとどの方向にも位置決めを行うことが出来ず、取り付けの難易度が非常に高い。
【０００６】
この発明は上記事情に着目してなされたもので、その目的とするところは、アクセス面が限られている場合でも容易に取り付け可能な筐体固定構造を提供することにある。
【課題を解決するための手段】
【０００７】
上記目的を達成するためにこの発明に係る筐体固定構造の一態様は、筐体を被取付面に固定する構造であって、前記筐体の底面に接する側面に取り付けられ、前記筐体の後方に傾斜する斜面と、前記筐体の底面と平行に前方から斜面を貫通する貫通穴と、フローティング機構とを有する三角ブロックと、前記三角ブロックの斜面と相対する斜面と、前記貫通穴に対応する挿入穴とを有し、前記被取付面に固定される固定ブロックと、前記貫通穴を介して前記挿入穴にボルトを挿入することにより前記三角ブロックを前記固定ブロックの斜面に沿って移動させ、前記筐体を前記被取付面に固定する締結手段とを具備するものである。
【０００８】
上記構成によれば、三角ブロックと相対する固定ブロックの斜面によって、ボルトを締め付けると筐体が移動しながら押し付けられ、固定される。また、三角ブロックがフローティング機構になっているため、微調整が可能となり、取り付けが容易になる。したがって、筐体の前面からのアクセスのみで取付けが可能となり、位置決めをするとともに組立て公差も吸収することが可能となる。
【発明の効果】
【０００９】
すなわちこの発明によれば、アクセス面が限られている場合でも容易に取り付け可能な筐体固定構造を提供することができる。
【図面の簡単な説明】
【００１０】
【図１】本発明の一実施形態に係る筐体固定構造を示す図。
【図２】従来の筐体固定方法の一例を示す図。
【発明を実施するための形態】
【００１１】
以下、図面を参照してこの発明に係る実施形態について詳細に説明する。  
図１は、本発明の一実施形態に係る筐体固定構造を示す図である。図１（ａ）は、筐体を前面から見た図であり、図１（ｂ）にＡ−Ａ断面図及び拡大断面図、図１（ｃ）に筐体固定構造の斜視図を示す。
【００１２】
筐体下部の取り付け部は左右に突出する板状部を有し、各板状部の後方端には、筐体の後方に傾斜する斜面１１を有する三角ブロック２が設置されている。三角ブロック２は、図１（ｂ）のＡ−Ａ断面図に示すように下部より段付きネジ３で締め付けることにより、フローティング機構を有する。三角ブロック２には筐体の底面と平行に前方から斜面を貫通する貫通穴が設けられ、締結手段として、この貫通穴に固定ボルト４を、側面視Ｌ字状の取付金具５、ワッシャ６、及び固定ボルト４の落下防止用のゴム７によってあらかじめ挿入しておく。
【００１３】
固定ブロック８は、三角ブロック２の斜面１１と相対する斜面１２と、三角ブロック２の貫通穴に対応する挿入穴を有し、取り付け棚９の下方より固定ブロック取り付けネジ１０にて締め付けられ、あらかじめ位置決めガイドとして取り付け棚９の被取付面に固定されている。
【００１４】
そして、三角ブロック２の貫通穴を介して固定ブロック８の挿入穴に固定ボルト４を挿入することにより、三角ブロック２を固定ブロック８の斜面１２に沿って移動させ、筐体１３を取り付け棚９の被取付面に固定する。
つまり、三角ブロック２と固定ブロック８には、相対する斜面１１及び斜面１２を設けることにより、筐体１３が正規でない位置に置かれても、前面から長手レンチ等により固定ボルト４を締め込むと、この斜面を利用したガイド機構により決まった位置へ筐体が移動する。さらに、三角ブロック２がフローティングになっているため、固定ボルト４の締め付けることによって三角ブロック２及び取付金具５が下方に押え付けられ、筐体が取り付け棚９に密着して固定される。
【００１５】
以上述べたように、上記実施形態では、筐体へフローティング可能な三角ブロック２を取り付け、三角ブロックの斜面に相対する斜面を有する固定ブロックを取り付け棚側に設ける構造とする。このような構造によれば、三角ブロックの斜面と相対する固定ブロックの斜面によって、固定ボルトを締め付けると筐体が決まった位置へ移動され固定される。さらに、三角ブロックがフローティングになっているため、固定ボルトの締め付けることによって三角ブロック及び取付金具が下方に押え付けられ、筐体が取り付け棚に密着して固定される。
【００１６】
したがって、上記実施形態によれば、前面からのアクセスのみで筐体の取り付けが可能となり、位置決めをすると共に組立て公差も吸収することが可能となる。また、三角ブロックがフローティングになっているため微調整が可能であり、取り付けを容易に行うことができる。
【００１７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１８】
１…筐体下部の取り付け部、２…三角ブロック、３…段付きネジ、４…固定ボルト、５…固定ボルトの取付金具、６…ワッシャ、７…ゴム、８…固定ブロック、９…取り付け棚、１０…固定ブロック取り付けネジ、１１…三角ブロックの斜面、１２…固定ブロックの斜面、１３…筐体。
【図１】
2014082375.tif 000003
【図２】
2014082375.tif 000004